(57)【要約】【課題】画像を提供した本人がその画像の写真プリントから違和感なく広告情報を取得し、高い宣伝効果を与える。【解決手段】広告主が、不特定の一般人に対して特定のシチュエーションで撮影された撮影画像を募集して撮影画像を収集する。撮影画像を広告コンテンツ配信装置１００に入力すると、その撮影画像に二次元コードが添付された写真プリントがプリントされる。広告主は、広告主の募集に応じて撮影画像を提供した画像提供者に、その画像提供者の提供した画像と二次元コードがプリントされた写真プリントを無料で提供する。画像提供者が写真プリントを受け取り、携帯電話機２００に備えられたコードリーダ２００ａによって二次元コードに埋め込まれたアクセス情報を読み取ると、広告コンテンツ配信装置１００から携帯電話機２００に広告主の広告音声が含まれる広告コンテンツが配信される。【選択図】  図１
2006091556.tif 000002
【特許請求の範囲】
【請求項１】
撮影画像の入力を受け付ける撮影画像入力部と、
所定の音声広告を含む広告コンテンツへのアクセス情報を埋め込んだ二次元コードを発行する発行部と、
前記入力された撮影画像に前記二次元コードを添付した写真プリントをプリントするプリント部と、
前記二次元コードに埋め込まれたアクセス情報に従ってアクセスした端末に前記広告コンテンツを配信する配信部と、
を備える広告コンテンツ配信装置。
【請求項２】
撮影画像の入力を受け付ける撮影画像入力ステップと、
所定の音声広告を含む広告コンテンツへのアクセス情報を埋め込んだ二次元コードを発行する発行ステップと、
前記入力された撮影画像に前記二次元コードを添付した写真プリントをプリントするプリントステップと、
前記二次元コードに埋め込まれたアクセス情報に従ってアクセスした端末に前記音声コンテンツを送信する配信ステップと、
を含む広告コンテンツ配信方法。
【発明の詳細な説明】
【技術分野】
【０００１】
本発明は広告コンテンツ配信装置及び広告コンテンツ配信方法に係り、特に広告音声の含まれる広告コンテンツを配信するシステム及び方法に関する。
【背景技術】
【０００２】
従来、写真プリントで広告を行う技術が開発されている。例えば特許文献１の写真プリントシステムによると、予め展示会等の実施者と提携しているスポンサーの広告／販促訴求の文字やクーポンを含むテンプレートデータを記録手段に記録しておく。一方、展示会等への来場者を撮像し、この来場者を示す撮影データを取り込む。そして、上記テンプレートデータと撮影データとを合成し、この合成したデータに基づいて広告入り写真プリントを作成する。この広告入り写真プリントは来場者に原則無償で配布する。
【特許文献１】特開２００２−５１２０４号公報
【発明の開示】
【発明が解決しようとする課題】
【０００３】
ところで、上述のシステムにおいては、来場者の画像に広告の入った写真プリントが出来上がるのであるが、本人にとって余り鑑賞価値のない広告画像に自分の画像が合成された写真プリントは、広告画像から生み出される違和感があり好ましくない。本発明はこのような問題点に鑑みてなされたもので、画像を提供した本人がその画像の写真プリントから違和感なく広告情報を取得し、高い宣伝効果を与えることができるようにすることを目的とする。
【課題を解決するための手段】
【０００４】
上述の課題を解決するため、本願発明に係る広告コンテンツ配信装置は、撮影画像の入力を受け付ける撮影画像入力部と、所定の音声広告を含む広告コンテンツへのアクセス情報を埋め込んだ二次元コードを発行する発行部と、前記入力された撮影画像に前記二次元コードを添付した写真プリントをプリントするプリント部と、前記二次元コードに埋め込まれたアクセス情報に従ってアクセスした端末に前記広告コンテンツを配信する配信部と、を備える。
【０００５】
本願発明に係る広告コンテンツ配信装置は、以下のように用いることで所要の効果を奏する。即ち、まず、ある広告主が、不特定の一般人に対して特定のシチュエーションで撮影された撮影画像を募集して撮影画像を収集し、集めた撮影画像を広告コンテンツ配信装置に入力すると、その撮影画像に二次元コードが添付された写真プリントがプリントされる。二次元コードには、広告主の広告音声が含まれる広告コンテンツの配信元となる広告コンテンツ配信部へのアクセス情報が埋め込まれている。広告主は、広告主の募集に応じて撮影画像を提供した人（以下画像提供者という）に、その画像提供者の提供した画像と二次元コードがプリントされた写真プリントを無料で提供する。即ち、広告主の設定したシチュエーションに合う画像を広告主に提供すれば、無料で自分の撮影した画像の写真プリントを得ることができる。画像提供者が写真プリントを受け取り、自身の保有する携帯電話機、ＰＤＡ、パソコンなどの端末に備えられたコードリーダによって二次元コードに埋め込まれたアクセス情報を読み取ると、広告コンテンツ配信装置から端末に広告主の広告音声が含まれる広告コンテンツが配信される。広告音声は、募集時に設定された撮影画像のシチュエーションに適合する内容を含んでいる。広告主は、写真プリントの画像の撮影シチュエーションに適合した広告音声を配信でき、写真プリントによって高い広告宣伝効果を違和感なく画像提供者に与えることができる。
【０００６】
また、上述の課題を解決するため、本願発明に係る広告コンテンツ配信方法は、撮影画像の入力を受け付ける撮影画像入力ステップと、所定の音声広告を含む広告コンテンツへのアクセス情報を埋め込んだ二次元コードを発行する発行ステップと、前記入力された撮影画像に前記二次元コードを添付した写真プリントをプリントするプリントステップと、前記二次元コードに埋め込まれたアクセス情報に従ってアクセスした端末に前記音声コンテンツを送信する配信ステップと、を含む。
【発明の効果】
【０００７】
本発明に係る広告コンテンツ配信装置及び広告コンテンツ配信方法によると、広告主は、写真プリントの画像の撮影シチュエーションに適合した広告音声を配信でき、写真プリントによって高い広告宣伝効果を違和感なく画像提供者に与えることができる。
【発明を実施するための最良の形態】
【０００８】
以下、添付した図面を参照し本発明の好ましい実施の形態を説明する。
【０００９】
［概略構成］
図１は、本発明の好ましい実施形態に係る広告コンテンツ配信システムの概略機能構成図である。このシステムは、広告コンテンツ配信装置１００と携帯電話機２００とがインターネットなどのネットワーク４００を介して接続されたものである。広告コンテンツ配信装置１００は、撮影画像入力部１、コード発行部２、テンプレート画像入力部３、ＣＰＵなどで構成された処理部４、プリンタ５、半導体メモリなどで構成された記憶部６、広告コンテンツ配信部７、操作入力を受け付けるキーボードなどで構成された操作部８を有している。広告コンテンツ配信部７は、広告コンテンツ配信装置１００とは別個独立の構成としてもよい。
【００１０】
ここで、広告コンテンツ配信システムの機能及び利用方法を概説する。このシステムは、広告宣伝を行いたい企業など（以下広告主という）が、不特定の一般人がデジタルカメラなどで撮影した撮影画像を募集し、募集に応じてその企業に送られてきた撮影画像に二次元コードを添付した写真プリントを作成して画像の提供者に無償で提供する。写真プリントの提供を受けた者が、添付された二次元コードによってその広告主の広告コンテンツの配信を受けることで、その広告主の広告宣伝を達成する。
【００１１】
まず、ある広告主が、不特定の一般人に対して特定のシチュエーションで撮影された撮影画像を募集して撮影画像を収集する。次に、撮影画像をパソコン３００やスキャナ１ｂを介して広告コンテンツ配信装置１００に入力すると、その撮影画像に二次元コードが添付された写真プリントがプリントされる。二次元コードには、広告主の広告音声が含まれる広告コンテンツの配信元となる広告コンテンツ配信部７へのアクセス情報が埋め込まれている。広告主は、広告主の募集に応じて撮影画像を提供した人（以下画像提供者という）に、その画像提供者の提供した画像と二次元コードがプリントされた写真プリントを無料で提供する。提供された写真プリントには撮影画像に二次元コードが添付されているだけであり、あからさまに撮影画像と広告画像を合成したような違和感がない。画像提供者が写真プリントを受け取り、自身の保有する携帯電話機２００に備えられたコードリーダ２００ａによって二次元コードに埋め込まれたアクセス情報を読み取ると、広告コンテンツ配信装置１００から携帯電話機２００に広告主の広告音声が含まれる広告コンテンツが配信される。広告音声は、募集時に設定された撮影画像のシチュエーションに適合する内容を含んでいる。例えば、シチュエーションが「遠足」であれば、遠足に関連する唱歌をＢＧＭとする広告宣伝文句を広告音声とする。こうすると、画像提供者に無償提供された写真プリント中の撮影画像と実際配信される広告コンテンツの音声内容とが適合し、あからさまな広告音声を配信するよりも違和感が少なく好ましい。広告コンテンツには音声に加えて画像、動画、広告主のホームページアドレスなどが含まれていてもよい。
【００１２】
広告コンテンツの配信形態の一例として、携帯電話機２００で実行すると所定の広告音声を再生するアプリケーション（以下広告再生アプリケーションという）が挙げられる。この場合、広告再生アプリケーションのダウンロードサイトアドレスをアクセス情報として二次元コードに埋め込んでおく。広告コンテンツ配信部７は、アクセスしてきた携帯電話機２００の機種を判別し、判別した機種に対応する広告再生アプリケーションを配信してもよい。広告コンテンツの配信形態の他の例としては、図示しないＣＴＩ（Computer Telephony Integration）サーバの再生する電話音声である。この場合、ＣＴＩサーバにアクセスするための電話番号を記載したＷｅｂページのアドレスをアクセス情報として二次元コードに埋め込んでおく。本明細書において二次元コードとは、ＱＲコード、ＰＤＦ４１７・データコード・マキシコードなどの各種二次元コードである。携帯電話機２００がバーコードを読み取る手段を備えていれば二次元コードの代わりにバーコードを用いてもよい。
【００１３】
なお、図１ではパソコン３００がネットワーク４００に接続されているが、パソコン３００からは各者が任意に撮影した撮影画像を広告コンテンツ配信装置１００に送信する端末の一態様である。パソコン３００はＰＤＡや携帯電話機などの各種ネットワーク接続端末と置換することも可能である。
【００１４】
［処理の流れ］
以下、図２及び３のフローチャートに基づき、本システムで実行される処理の流れを説明する。このシステムでは、プリント処理と広告コンテンツ配信処理が行われる。まず、図２に従いプリント処理の流れを説明する。
【００１５】
Ｓ１では、広告コンテンツ配信装置１００は撮影画像の入力を撮影画像入力部１から受け付ける。撮影画像の入力の態様は特に限定されない。例えば、パソコン３００から任意の撮影画像のデータを広告コンテンツ配信装置１００に送信することが挙げられる。撮影画像入力部１の一態様である通信部１ａは、送信された撮影画像を入力し記憶部６に記憶する。あるいは、ユーザから郵送してもらった写真プリントそのものを撮影画像入力部１の一態様であるスキャナ１ｂでスキャンした画像を撮影画像として入力し、記憶部６に記憶してもよい。あるいは図示しないＣＤ−Ｒドライブなどのメディアリーダから撮影画像のデータを入力し、これを記憶部６に記憶してもよい。
【００１６】
なお、撮影画像入力部１に入力する撮影画像の撮影されたシチュエーションを予め決めておき、このシチュエーションに合った撮影画像のみを操作部８の手動操作で選別して入力する。
【００１７】
Ｓ２では、コード発行部２は、広告コンテンツの配信元となる広告コンテンツ配信部７へのアクセス情報を埋め込んだ二次元コードを発行する。アクセス情報は、広告コンテンツ配信部７のＵＲＬなどであり、コード発行部２が広告コンテンツ配信部７から予め取得しておく。
【００１８】
Ｓ３では、プリンタ５は入力された撮影画像に、発行された二次元コードを添付した写真プリントをプリントする。例えば、図４（ａ）に示すように、被写体Ｉ１が記録された撮影画像が入力されたとすると、図４（ｂ）に示すように、プリンタ５は撮影画像の被写体Ｉ１の鑑賞の妨げとならないような位置に二次元コードＩ２を添付してプリントする。なお、テンプレート画像入力部３から入力されたテンプレート画像を適宜撮影画像と合成してもよい。
【００１９】
上記のプリント処理により得られた写真プリントは、撮影画像を入力した画像提供者に郵送されるなどして無償で提供される。提供された写真プリントには、画像提供者自身が撮影した撮影画像に二次元コードが添付されているだけであり、あからさまに撮影画像と広告画像を合成したような違和感がなく、通常の写真プリントと同等の鑑賞に耐えうる。
【００２０】
次に、図３に従い、広告コンテンツ配信処理の流れを説明する。
【００２１】
Ｓ１１では、画像提供者の保有する携帯電話機２００のコードリーダ２００ａで写真プリントの二次元コードＩ２（図４参照）を読み取り、Ｓ１２では、携帯電話機２００は二次元コードＩ２に埋め込まれたアクセス情報に従って広告コンテンツ配信装置１００の広告コンテンツ配信部７にネットワーク４００を介してアクセスする。
【００２２】
Ｓ１３では、広告コンテンツ配信部７が携帯電話機２００アクセスを受け付け、Ｓ１４では、広告コンテンツ配信部７は、所定の広告音声を含む広告コンテンツを携帯電話機２００に配信する。
【００２３】
Ｓ１５では、携帯電話機２００は、配信を受けた広告コンテンツを再生する。広告コンテンツが広告再生アプリケーションの場合はその広告再生アプリケーションを実行し、広告コンテンツがＣＴＩサーバの電話音声であれば携帯電話機２００からＣＴＩサーバの電話番号に発信して電話音声を受信し、図示しないスピーカで再生する。
【００２４】
以上説明した通り、広告主は、不特定の一般人に特定のシチュエーションで撮影された画像を募集し、その画像を提供した者に、提供を受けた画像に二次元コードを添付した写真プリントを無料で提供する。画像の募集を受けた者は、広告主の設定したシチュエーションに合う画像を広告主に提供すれば、無料で自分の撮影した画像の写真プリントを得ることができる。画像提供者が、提供を受けた写真プリントに添付された二次元コードを携帯電話機２００で読み取ると、写真プリントの画像に適合する内容の広告音声を含んだ広告コンテンツが携帯電話機２００に配信される。広告主は、写真プリントの画像の撮影シチュエーションに適合した広告を配信でき、写真プリントによって高い広告宣伝効果を画像提供者に違和感なく与えることができる。
【図面の簡単な説明】
【００２５】
【図１】本発明の好ましい実施形態に係る広告コンテンツ配信システムの概略機能構成図
【図２】プリント処理の流れを示すフローチャート
【図３】広告コンテンツ配信処理の流れを示すフローチャート
【図４】撮影画像及び写真プリントの概念説明図
【符号の説明】
【００２６】
１００：広告コンテンツ配信装置、２００：携帯電話機、３００：パソコン
【図１】
2006091556.tif 000003
【図２】
2006091556.tif 000004
【図３】
2006091556.tif 000005
【図４】
2006091556.tif 000006